(57)【特許請求の範囲】
【請求項１】
下地材に直接取り付けられる基台と、この基台に着脱自在に取り付けられる屋外フードと、この屋外フードに係止される方向板とからなる建物用換気装置であって、前記屋外フードは、その基台側の開口部内側面に、周囲の壁面に沿って方向板の係止用段部が設けられ、該方向板の係止用段部に方向板の位置決め突起を形成し、方向板の周縁には、前記方向板の位置決め突起に対応する切欠が設けられていることを特徴とする建物用換気装置。
【請求項２】
方向板の位置決め突起の高さが、方向板の厚みより低い請求項１に記載の建物用換気装置。
【請求項３】
請求項１または２に記載の建物用換気装置において、方向板を屋外フードの基台側の開口部に押入れ、前記開口部内側面の周囲の壁面に沿って設けられた係止用段部に係止させた後、屋外フードを基台に嵌め込むことを特徴とする建物用換気装置の取付方法。
【請求項４】
方向板を屋外フードの基台側の開口部に押入れ、方向板の周縁に設けられた切欠を、前記屋外フードの基台側の開口部内側面の周囲の壁面に沿って設けられた係止用段部に形成された方向板の位置決め突起に合せて嵌め込み、方向板を屋外フードに係止させた後、屋外フードを基台に嵌め込むことを特徴とする請求項３に記載の建物用換気装置の取付方法。
【発明の詳細な説明】
【技術分野】
【０００１】
本発明は、建物用の換気装置、特には合成樹脂サイディングを外装材に使用した建物用換気装置およびその取付方法に関する。
【背景技術】
【０００２】
従来、建物用の換気装置として、建物の外壁面に固定する基台と屋外フードが一体に構成された換気装置（特許文献１、特許文献２参照）や、基台（フランジ）と屋外フードが別体に構成され、建物の外壁面に固定した基台から屋外フードを着脱できる換気装置（特許文献３参照）が知られている。
【０００３】
上記従来の換気装置は、いずれも基台を建物の外壁面に取り付け固定するタイプであるため、建物の外壁面が硬質でフラットである場合には、基台と建物の外壁面との間に隙間が生じることなく、防水性および設置の安定性に優れ、見栄えよく取り付け固定できるが、近年、多用されるようになってきた、図４に示すような凹凸断面形状を有する合成樹脂サイディング２１を建物の外壁面に使用した場合には、この外壁面上に前記した従来の換気装置を取り付けて固定しようとすると、換気装置の基台と合成樹脂サイディング表面との間に部分的に大きな隙間ができてしまい、防水性が損なわれ、かつ見栄えが悪かった。
【０００４】
そこで、出願人は上記の点を解消するために、下地材に直接取り付けられる基台と、この基台に着脱自在に取り付けられる屋外フードからなる合成樹脂サイディングを使用した建築物用の換気装置およびその取付方法（特許文献４参照）を出願し、基台の設置の安定性と防水性に優れた見栄えの良い建築物用の換気装置を提案した。
【０００５】
この換気装置では、空気の流れの方向を誘導する方向板や虫除け用の網体を、基台に立設した係止棒を利用して基台に取り付けているが、方向板の汚れや網体の網目の詰まりがたまったときに行う交換・清掃作業時に、方向板や網体が基台や係止棒に固着してしまい外しづらいという事例が見られた。
【０００６】
発明者は上記について検討した結果、建築物用の換気装置は、通常、高所にあり、基台への屋外フードの着脱は、安定の悪い脚立、梯子等に上って行なうことから、屋外フードの取り付け時に、安全性を確保し方向板や網体の落下による作業の中断を避けるために、接着剤や粘着テープ等を使用して方向板や網体を基台に止める場合があり、これが原因で容易に外せなくなることもその一因であることを見出した。
【０００７】
【特許文献１】特許３１３５２０８号公報
【特許文献２】特開２００５−２９１５４７号公報
【特許文献３】特開２００３−２０２１４３号公報
【特許文献４】特開２００７−２９２３６９号公報
【発明の開示】
【発明が解決しようとする課題】
【０００８】
そこで、本発明は、前記した点に鑑み改良を加えたもので、高所にある換気装置の方向板や網体の取り付け取り外し作業が、安全かつ円滑に行なうことのできる、外壁面に凹凸のある、特に合成樹脂サイディングを使用した建築物用の換気装置およびその取付方法を提供することにある。
【課題を解決するための手段】
【０００９】
本発明の建物用換気装置は、下地材に直接取り付けられる基台と、この基台に着脱自在に取り付けられる屋外フードと、この屋外フードに係止される方向板とからなる建物用換気装置であって、前記屋外フードは、その基台側の開口部内側面に、周囲の壁面に沿って方向板の係止用段部が設けられ、該方向板の係止用段部に方向板の位置決め突起を形成し、方向板の周縁には、前記方向板の位置決め突起に対応する切欠が設けられていることを特徴とする。
【００１０】
本発明の建物用換気装置の取付方法は、前記した建物用換気装置を使用し、方向板を屋外フードの基台側の開口部に押入れ、前記開口部内側面の周囲の壁面に沿って設けられた係止用段部に係止させた後、屋外フードを基台に嵌め込むことを特徴とする。
【００１１】
また、前記した本発明の建物用換気装置は、方向板の位置決め突起の高さが、方向板の厚みより低くなるようにするのが好ましい。
【００１２】
さらに、このような構成の本発明の建物用換気装置の取付方法は、方向板を屋外フードの基台側の開口部に押入れ、方向板の周縁に設けられた切欠を、前記屋外フードの基台側の開口部内側面の周囲の壁面に沿って設けられた係止用段部に形成された方向板の位置決め突起に合せて嵌め込み、方向板を屋外フードに係止させた後、屋外フードを基台に嵌め込むことを特徴とする。
【発明の効果】
【００１３】
本発明の建物用換気装置は、方向板や網体が、基本的に、屋外フード側に仮着することができ、その状態で基台への着脱作業が円滑にかつ安全確実に行なうことのできる、外壁面に凹凸のある、特に合成樹脂サイディングを使用した建築物用の換気装置を提供できる。
【発明を実施するための最良の形態】
【００１４】
以下、本発明の一実施の形態を、図に基づいて説明する。
図１は、本発明の建物用換気装置の屋外フードと基台の組み合わせの一例を示す模式的斜視図であり、図２は、本発明の建物用換気装置の屋外フードとこれに係止させる方向板と網体の一例を示す模式的な斜視図である。
図３は、図２に示す建物用換気装置の屋外フードに方向板と網体を係止させた状態を示す模式的な縦断面図である。
【００１５】
図１に示すように、本発明の建物用換気装置は、屋外フード１とこの屋外フード１が着脱自在に取り付けられる基台１１とから構成されている。
屋外フード１は、ほぼ正方形状の枠板状カバー部２と、基台取付枠板部３（図２、図３参照）と、フード部４とからなり、基台１１は、ほぼ正方形状の下地材取付板部１２と、立上り部１３と、上面部１４とからなり、上面部１４の中央には、通気パイプを受け入れる通気パイプ受入孔１５が形成されている。
【００１６】
屋外フード１は、図２に示すように、基台側の開口部５の内側面に、周囲の壁面に沿って、方向板の係止用段部６が連続して一体に設けられ、この係止用段部６には、開口部５から押入れた方向板７の縁部が当接して、方向板７が開口部５の内部に安定して係止され、さらに係止された方向板７上に網体１６が配置できるようになっている。
【００１７】
なお、図２では、係止用段部６は、開口部５の内側周囲の壁面に沿って連続して設けたものを示したが、間隔をあけて設けるようにしてもよい。
この係止用段部６には、方向板７の位置決め突起８が、開口部５の内側上辺Ａに２個、対向する側辺Ｂに２個、それぞれ間隔をあけて形成されている。
【００１８】
この突起８は、開口部５に押入れた方向板７が正しい位置、すなわち屋外フード１を基台１１に取り付けた際、方向板７のフラップ９が、例えば、下向きになるように、方向板７の位置決め部材としての役をするものであり、係止用段部６に当接する方向板７の縁部には、位置決め突起８の対応する位置に切欠１０がそれぞれ設けられている。
【００１９】
方向板７を屋外フード１の開口部５に押し入れる際、方向板７の切欠１０を係止用段部６上の全ての突起８に合せて嵌め込むことができれば、方向板７は屋外フード１の正しい位置に係止したことになり、基台１１への屋外フード１の取り付の際に、方向板７のフラップ９が上向きに取り付けられることがなくなる。
【００２０】
すなわち、図２で示す屋外フード１では、突起８が開口部５の上辺Ａと、対向する側辺Ｂに形成され、下辺には形成されていない。そのため、方向板７の上辺ａと下辺ｂを逆にして開口部５に押し入れても、切欠１０が形成されていない方向板７の下辺ｂが、開口部５の上辺Ａにある２個の突起８によって浮き上がった状態となって、係止用段部６上の全面に方向板７が当接して係止されることがなくなる。
これにより、屋外フード１を基台１１に取り付けた際に、間違って方向板７のフラップ９を気付かず上向きに取り付けてしまうことがなくなり、また取り付け後に間違いに気付き屋外フード１を基台１１から外してやり直す無駄もなくなる。
【００２１】
係止用段部６に係止させた方向板７の上面には、通常、外部からの虫や埃の侵入を阻止する網体１６を載置する。そのため、網体１６を方向板７に載置した際、突起８が方向板７の上面から突出していると、網体１６が突起８に突き上げられて、方向板７の上面から浮き上がり安定しない。それ故、突起８の高さは、方向板の厚みより低くするのがよい。
【００２２】
なお、係止用段部６上に設ける突起８の数や設ける位置および突起８の形状、並びにこれに対応する方向板７に形成する切欠１０の形状は、図２に示したものに限定されるものでは無く、任意に決定することができる。
突起８と切欠１０の位置や組み合わせを変えて、方向板７のフラップ９の上下の向きだけでなく、方向板７の表裏の間違いを防止するようにすることもできる。
【００２３】
次に、本発明の換気装置の取付方法を図に基づいて説明する。
まず、屋外フード１を基台１１に取り付ける前に、図２に示すように、方向板７を屋外フード１の基台１１側の開口部５に押入れ、開口部５の内部の内側面に設けられた係止用段部６に係止させる。
係止用段部６に方向板の位置決め突起８が形成されている場合には、方向板７の周縁に設けられた切欠１０を突起８に合せて嵌め込む。この嵌め込みによって、方向板７が係止用段部６の上でがたつくことがなければ、方向板７が屋外フード１に正しく係止されたことになる。
【００２４】
さらに、網体１６を使用する場合には、係止用段部６に係止させた方向板７の上面に網体１６を載置する。
その後、方向板７と網体１６をセットした屋外フード１を、基台１１に取り付けて終了する。
【００２５】
屋外フード１の基台１１への取り付けは、図１に示すように、屋外フード１の基台取付枠板部３を基台１１の立上り部１３に合せ、屋外フード１を基台１１に被せるように押し込むと、屋外フード１の基台取付枠板部３に設けられた嵌入孔１７に、基台１１の立上り部１３に設けられた凸部１８が嵌入されて、屋外フード１は基台１１に係着されロックされる。
【００２６】
なお、図１に示す基台１１のように、基台１１の上面部１４の四隅近傍に係止棒１９を立設し、方向板７にこの係止棒１９に対応する係止孔２０を形成し、網体１６の前記対応する部分に係止棒１９が貫通できる隙間（図示せず）を形成するようにしてもよい。
これにより、方向板７と網体１６をセットした屋外フード１を、基台１１に被せるように押し込むことになり、基台１１上の係止棒１９に、網体１６の隙間および方向板７の係止孔２０が順次、挿通して係着されるので、屋外フード１の基台１１への取り付けがより確実になる。
【００２７】
なお、前記した本発明の一実施の形態では、基台１１の下地材取付板部１２および立上り部１３、並びに屋外フード１の枠板状カバー部２および基台取付枠板部３は、それぞれ、ほぼ正方形状のものを示したが、これらに限定されるものではなく、円形、楕円形等、各種の形状のものやそれらを組み合わせた形状のものが採用できる。
本発明の換気装置を構成する屋外フード１および基台１１は、合成樹脂製のものが一般に用いられるが、金属製等のものであってもよい。
【産業上の利用可能性】
【００２８】
本発明によれば、外壁面に凹凸のある外装材、特に合成樹脂サイディングに最適な建物用換気装置およびその取付方法を提供できるため、その産業上の利用可能性は大きい。
【図面の簡単な説明】
【００２９】
【図１】本発明の建物用換気装置の屋外フードと基台の組み合わせの一例を示す模式的斜視図である。
【図２】本発明の建物用換気装置の屋外フードとこれに係止させる方向板と網体の一例を示す模式的な斜視図である。
【図３】図２に示す建物用換気装置の屋外フードに方向板と網体を係止させた状態を示す模式的な縦断面図である。
【図４】合成樹脂製サイディングの一例を示す斜視図である。
【符号の説明】
【００３０】
１  屋外フード
２  枠板状カバー部
３  基台取付枠板部
４  フード部
５  基台側の開口部
６  係止用段部  
７  方向板
８  方向板位置決め突起
９  フラップ
１０  切欠
１１  基台
１２  下地材取付板部
１３  立上り部
１４  上面部
１５  通気パイプ受入孔
１６  網体
１７  嵌入孔
１８  凸部
１９  係止棒
２０  係止孔
２１  合成樹脂サイディング
Ａ  開口部の上辺
Ｂ  開口部の側辺
ａ  方向板の上辺
ｂ  方向板の下辺
【図１】
0005041602.tif 000002
【図２】
0005041602.tif 000003
【図３】
0005041602.tif 000004
【図４】
0005041602.tif 000005